(57)【要約】【課題】  雨水が導入される汚水桝から住宅内の汚水源へ向けて汚水が逆流することを低コストで防止する。【解決手段】  住宅１の汚水を貯留して排出するための汚水桝２に連通する雨水導入管４に、前記住宅１の外部で地上に開口する過剰水排出口１１が連通され、前記過剰水排出口１１よりも前記汚水桝２に近い位置に、前記汚水枡２への雨水の流入量を前記汚水枡２が満杯とならない量に制限する流量絞り２４が設けられる。前記過剰水排出口１１を常時は閉じ、且つ、前記雨水導入管４内の水圧によって前記過剰水排出口１１を自動的に開放する蓋１６を設けることもできる。また、前記流量絞り２４を、前記汚水桝２への雨水の流入量を調整可能なものとすることもできる。【選択図】    図１
2016130398.tif 000002
【特許請求の範囲】
【請求項１】
住宅の汚水を貯留して排出するための汚水桝に連通する雨水導入管に、前記住宅の外部で地上に開口する過剰水排出口が連通され、前記過剰水排出口よりも前記汚水桝に近い位置に、前記汚水枡への雨水の流入量を前記汚水枡が満杯とならない量に制限する流量絞りが設けられる、汚水桝の逆流防止装置。
【請求項２】
前記過剰水排出口を常時は閉じ、且つ、前記雨水導入管内の水圧によって前記過剰水排出口を自動的に開放する蓋を備える、請求項１に記載の汚水桝の逆流防止装置。
【請求項３】
前記流量絞りが、前記汚水桝への雨水の流入量を調整可能なものである、請求項１又は２に記載の汚水桝の逆流防止装置。
【請求項４】
前記流量絞りとして、流量絞り面に雨水通過孔を偏心させて設けたものを少なくとも二つ備え、前記流量絞り面同士を重ね合わせた状態で前記流量絞りの重合角度位置が変更可能とされている、請求項３に記載の汚水桝の逆流防止装置。
【発明の詳細な説明】
【技術分野】
【０００１】
本発明は、汚水桝の逆流防止装置に関するものであり、詳しくは、住宅の汚水を貯留して排出する汚水桝において、住宅の雨樋から汚水桝に流入する雨水の量が汚水桝の排水量よりも多い場合に、住宅内のトイレや風呂等の汚水源へと汚水桝から汚水が逆流することを防止する装置に関するものである。
【背景技術】
【０００２】
住宅の屎尿や生活排水等の汚水を貯留して排出する汚水桝（特許文献１参照）には、図１０に示すように、住宅３０の雨樋３１から雨水が導入される場合がある。すなわち、住宅の軒樋３２が縦樋３３を介して、地中に埋設される汚水桝３４に連通されるタイプであり、汚水枡３４が雨水枡（特許文献２参照）を兼ねるものである。この場合、住宅３０で発生した汚水と雨樋３１に流入した雨水は、共に汚水桝３４に流入し、この汚水枡３４から下水道へと排出される。
【０００３】
このタイプの汚水桝３４において、雨樋３１から汚水桝３４に流入する雨水の量が汚水桝３４から下水道への排水量を超えるほど降雨量が多い場合には、住宅の汚水源３５（トイレ、風呂、台所等）へと汚水桝３４から、雨水を含む汚水が逆流してしまい、住宅内が水浸しになってしまう危険がある。
【０００４】
図１０には、大雨の影響で縦樋３３及び軒樋３２の中が満水状態となり、軒樋３２から雨水Ｒが溢れ出ている状態が示されている。雨樋３１から流れ込む雨水で汚水枡３４が満杯になってしまうと、汚水枡３４内の汚水が汚水源３５としてのトイレから住宅内へと流れ込む。雨樋３１を構成する軒樋３２は汚水桝３４よりもはるかに高い位置にあるので、軒樋３２に流れ込む雨水によって汚水桝３４内が加圧され、汚水源３５への汚水の逆流が促進される。地球温暖化の影響からか、局地的な豪雨に見舞われることが多い昨今、この問題は甚だ深刻である。
【先行技術文献】
【特許文献】
【０００５】
【特許文献１】特開平９−２７３１６６号公報
【特許文献２】特開平７−２９２７５８号公報
【発明の概要】
【発明が解決しようとする課題】
【０００６】
この問題への対策として、汚水桝を大型化したり、汚水桝を複数設けたりすることが考えられるが、既に埋設されている汚水桝の取替えには大きなコストがかかり、現実的でない。
【０００７】
本発明は、前記のような事情に鑑みてなされたものであり、雨水が導入される汚水桝から住宅内の汚水源へ向けて汚水が逆流することを低コストで防止し得る、汚水桝の逆流防止装置を提供しようとするものである。
【課題を解決するための手段】
【０００８】
前記課題を解決するため、本発明に係る汚水桝の逆流防止装置は、住宅の汚水を貯留して排出するための汚水桝に連通する雨水導入管に、前記住宅の外部で地上に開口する過剰水排出口が連通され、前記過剰水排出口よりも前記汚水桝に近い位置に、前記汚水枡への雨水の流入量を前記汚水枡が満杯とならない量に制限する流量絞りが設けられることを特徴とする（請求項１）。
【０００９】
本発明によれば、前記汚水枡への雨水の流入量が、前記流量絞りによって、前記汚水枡が満杯とならない量に制限される。このため、汚水桝内の汚水が住宅内の汚水源へ向けて逆流することが防止できる。前記汚水枡への流入を制限された雨水は、前記過剰水排出口から住宅の外部へと自然に排出される。
【００１０】
本発明によれば、雨水導入管に連通させて前記過剰水排出口を設けるとともに、前記流量絞りを設けるだけでよいので、汚水の逆流を低コストで防止することができる。また、既存設備に対しても、大きな改変を加えることなく前記作用効果を付与できる。
【００１１】
好適な実施の一形態として、前記過剰水排出口を常時は閉じ、且つ、前記雨水導入管内の水圧によって前記過剰水排出口を自動的に開放する蓋を備える態様を例示する（請求項２）。このようにすれば、過剰水の排出が必要なとき以外は常時、過剰水排出口が閉じられるので、過剰水排出口から雨水導入管内に異物が入り込んでしまうことが防止できる。
【００１２】
なお、前記蓋による過剰水排出口の閉鎖は、前記蓋の自重で行われるようにすることもできるし、ばね等を用いて行われるようにすることもできる。
【００１３】
好適な実施の一形態として、前記流量絞りが、前記汚水枡への雨水の流入量を調整可能なものとされる態様を例示する（請求項３）。この場合、前記汚水桝の汚水処理能力や前記汚水枡への汚水の流入量等に応じて、前記汚水枡への雨水の流入量を適宜に調整することで、汚水桝内の汚水の逆流を一層確実に防止することができる。
【００１４】
好適な実施の一形態として、次のものも採用可能である。すなわち、前記流量絞りとして、流量絞り面に雨水通過孔を偏心させて設けたものを少なくとも二つ備え、前記流量絞り面同士を重ね合わせた状態で前記流量絞りの重合角度位置が変更可能とされている態様である（請求項４）。このようにすれば、汚水枡への雨水流入量の調整を簡易な構成で達成できて好適である。
【図面の簡単な説明】
【００１５】
【図１】本発明の実施の一形態に係る汚水桝の逆流防止装置を含む、汚水桝の配管系の説明図である。
【図２】図１の要部の拡大図である。
【図３】図２の変形例の説明図である。
【図４】図２の変形例の説明図である。（ｂ）は（ａ）のＩＶ−ＩＶ矢視図である。
【図５】図４の変形例の説明図である。（ｂ）は（ａ）のＶ−Ｖ矢視図である。
【図６】図５の変形例の説明図である。（ｂ）は（ａ）のＶＩ−ＶＩ矢視図である。
【図７】図６の変形例の説明図である。（ｂ）は（ａ）のＶＩＩ−ＶＩＩ矢視図である。
【図８】図３の変形例の説明図である。
【図９】流量絞りによる雨水通過率を調整可能とするための具体例を示す説明図である。
【図１０】従来例の汚水桝の配管系の説明図である。
【発明を実施するための形態】
【００１６】
以下、添付図面を参照して、本発明の実施の形態について説明する。
【００１７】
図１に示すように、住宅１に対応する汚水桝２が住宅敷地の地中に埋設され、この汚水桝（宅内汚水枡）２には、汚水導入管３と雨水導入管４とが連通する。汚水桝２は、それ自体公知のものであり、屎尿や生活雑排水等の住宅の汚水を受け入れて貯留し、その貯留水を、下水排水管５を通して下水道へと排出する。汚水桝自体の構成は本発明の要旨とは関係がないので説明を省略する。
【００１８】
図１では、汚水源６及び汚水導入管３の一例として、住宅のトイレ（便器）と、このトイレから汚水桝２へと延びる屎尿導入管を図示してある。図示してはいないが、他の汚水源６として、台所の流し、風呂場、洗濯場等が挙げられる。
【００１９】
雨水導入管４は、地上管７と埋設管８とからなる。地上管７は、住宅の雨樋であり、住宅１の軒に沿って配設される軒樋９と、この軒樋９から住宅の外部を地面まで延びる縦樋１０とで構成される。この縦樋１０は、地中に配設される埋設管８に接続され、この埋設管８が汚水桝２に接続される。図１の例では、一つの軒樋に対し、縦樋１０と埋設管８との組合せが二系統配設されているが、縦樋１０と埋設管８との組み合わせは少なくとも一系統あればよい。
【００２０】
図２に示すように、縦樋１０の下部には、過剰水排出口１１が連通される。この過剰水排出口１１は、住宅の外部に開口する。雨水導入管４の管路内には、過剰水排出口１１よりも汚水桝２に近い位置に、汚水枡２への雨水の流入量を汚水枡２が満杯とならない量に制限する流量絞り２４が設けられる。このため、汚水桝２内の汚水が住宅１内の汚水源６へ向けて逆流することが防止できる。汚水枡２への流入を制限された雨水は、過剰水排出口１１から住宅１の外部へと自然に排出される。
【００２１】
前記構成によれば、雨水導入管４に連通させて過剰水排出口１１を設けるとともに、雨水導入管４内に流量絞り２４を設けるだけでよいので、汚水の逆流を低コストで防止することができる。また、既存設備に対しても、大きな改変を加えることなく前記作用効果を付与できる。
【００２２】
過剰水排出口１１は、地中で埋設管８に連通させることもできる。しかし、図１及び図２の例のように、地上で縦樋１０に連通させるようにすれば、既存設備に対して過剰水排出口１１を連通させる工事が容易に行えて好適である。また、流量絞り２４も、地中で雨水導入管４内に配設することもできる。しかし、地上で縦樋１０内に配設すれば、既存設備に対しても流量絞り２４を簡単に配設することができて好適である。
【００２３】
具体的には、図２に示すように、縦樋１０の下部が上下に二分割され、ここに、円筒形又は枡形等の適宜の形状の管継ぎ手１２が介装される。この管継ぎ手１２は三つのポートを持ち、上下二つのポート１２ａ，１２ｂには、上下に二分割された縦樋１０の、上側樋１３の下端１３ａと下側樋１４の上端１４ｂがそれぞれ接続される。管継ぎ手１２の横向きポート１２ｃには、分岐管となる過剰水排出管１５が接続され、この過剰水排出管１５の外端開口部が過剰水排出口１１となる。図２の例では、過剰水排出管１５をＬ字状に形成し、管継ぎ手１２への接続状態において過剰水排出口１１が上向きとなるようにされている。しかし、これには限定されず、過剰水排出口１１は横向きでも下向きでもよい。
【００２４】
なお、図２の例では、縦樋１０から分岐する過剰水排出管１５の外端開口部を過剰水排出口１１としているが、これには限定されず、後で説明する図５〜図７の例に示すように、縦樋１０自体に過剰水排出口１１を開口形成することもできる。
【００２５】
図２の例では、過剰水排出口１１を自動的に開閉する蓋１６が備えられる。この蓋１６は、過剰水排出口１１を常時は閉じ、且つ、縦樋１０内の水圧によって過剰水排出口１１を自動的に開放する。このような蓋１６を設けることで、過剰水の排出が必要なとき以外は常時、過剰水排出口１１が閉じられるので、過剰水排出口１１から異物が入り込んでしまうことが防止できる。蓋１６を設けることは、過剰水排出口１１を上向きにした場合に特に有効となる。
【００２６】
なお、蓋１６は、自重のみによって過剰水排出口１１を閉じるものであってもよいし、自重プラスばね力で過剰水排出口１１を閉じるものであってもよい。
【００２７】
流量絞り２４は、縦樋１０の流路面積を狭めることで、汚水桝２への雨水の流入量を制限する。流量絞り２４は、例えば、雨水通過率が３０％、５０％、７０％と異なるものを準備しておき、汚水枡２の容量や排水能力に応じて選択できるようにすると良い。
【００２８】
流量絞り２４によって汚水桝２への流入を制限される雨水は、過剰水排出管１５を通って蓋１６を押し上げ、過剰水排出口１１から外部へ流出する。流量絞り２４を設けることで、汚水桝２への雨水の流入量が予め制限されるので、汚水桝２から汚水源６への汚水の逆流が防止できる。
【００２９】
図３には、図２の変形例が示されている。すなわち、過剰水を排出するための流路の配設態様の別例である。
【００３０】
図３の例では、上下に二分割された縦樋１０の、上側樋１３の下端１３ａと下側樋１４の上端１４ｂを包み込むように、上下方向に延びる筒状の連結ボックス１７が配設される。連結ボックス１７は円筒型であり、既設の縦樋１０に設置する場合は、半円筒型等に分割して組み立てる構成が良い。
【００３１】
連結ボックス１７は、下端に内向きフランジ１８を備え、上端が開放されている。下端の内向きフランジ１８は、下側樋１４の外周面に対して液密に連結される。上側樋１３と下側樋１４の間の隙間が連結ボックス１７の内部に連通しており、縦樋１０を流れる雨水が連結ボックス１７内にも流入できるようになっている。そして、連結ボックス１７の内周面と上側樋１３の下部の外周面とで画成される空間１９が過剰水の流路となり、連結ボックス１７の上端開口部が過剰水排出口２０となる。
【００３２】
図３の例でも、過剰水排出口２０を自動的に開閉する蓋２１が設けられる。この蓋２１は、過剰水排出口２０を常時は閉じ、且つ、連結ボックス１７内の水圧によって過剰水排出口２０を自動的に開放する。
【００３３】
蓋２１は、常時は蓋受け２２によって支持される。この蓋受け２２は、網状等の通水可能なものであり、連結ボックス１７の内周面と上側樋１３の外周面との間に配設されて、連結ボックス１７の内部の上部に位置する。蓋２１の中央部には、上側樋１３を受け入れる孔２３が形成される。この孔２３で案内されて蓋２１が上側樋１３に沿って上下動し、連結ボックス１７内の水圧に応じて過剰水排出口２０が自動的に開閉される。
【００３４】
図３の例でも、雨水導入管４の管路内には、過剰水排出口１１よりも汚水桝２に近い位置に、汚水枡２への雨水の流入量を汚水枡２が満杯とならない量に制限する流量絞り２４が設けられる。具体的には、一例として、下側樋１４の上部の内部に流量絞り２４が配設される。流量絞り２４によって汚水桝２への流入を制限される雨水は、連結ボックス１７内を上昇して蓋受け２２上の蓋２１を押し上げ、過剰水排出口２０から外部へ流出する。流量絞り２４を設けることで、汚水桝２への雨水の流入量が予め制限されるので、汚水桝２から汚水源６への汚水の逆流が防止できる。
【００３５】
流量絞り２４は、地上にある縦樋１０内に設けることとすれば、既存設備への追加工事を簡便に行うことができて好適である。
【００３６】
図４は、図２の変形例としての簡易型である。縦樋１０を地面より上で切欠いて開口部４０を形成し、この開口部４０を液密に閉じる閉止ボックス４１を縦樋１０に固着し、閉止ボックス４１の上面に過剰水排出口１１を形成したものである。
【００３７】
開口部４０から流量絞り２４を縦樋１０内に挿入した後に、縦樋１０に閉止ボックス４１を嵌設する。閉止ボックス４１は、例えば図４で見て過剰水排出口１１のない左側をクランプ状に形成し、縦樋１０に着脱可能なものとする。
【００３８】
流量絞り２４は、縦樋１０の管路内において、開口部４０よりも汚水枡２に近い位置に配設する。過剰水排出口１１は蓋１６で覆われ、この蓋１６は閉止ボックス４１内の水圧によって自動的に開閉する。
【００３９】
流量絞り２４は、汚水枡２の容量や排水能力に合わせて、汚水枡２への雨水の流入量を汚水枡２が満杯とならない量に制限する。流量絞り２４は、掛止アーム４２によって例えば開口部４０から吊設される。流量絞り２４は、例えば、雨水通過率が３０％、５０％、７０％と異なるものを準備しておき、汚水枡の容量や排水能力に応じて選択できるようにすると良い。
【００４０】
図５は図４の変形例であり、更に簡易型にしてある。過剰水排出口１１を縦樋１０に直接形成し、過剰水排出口１１を閉じる蓋１６が上下に回動するものである。
【００４１】
縦樋１０の一部を切欠いて過剰水排出口１１を形成する。過剰水排出口１１から縦樋１０内に流量絞り２４を挿入した後に、過剰水排出口１１を蓋１６で縦樋１０の外から覆う。蓋１６は過剰水排出口１１に対応した形状である。蓋１６は蝶番２５で上下に回動可能とし、常時は過剰水排出口１１を液密に閉じ、水圧で上に開く。蝶番２５を有する蓋保持部２７が縦樋１０に嵌設され、バンド２８で締めて固定冶具２９で固定される。流量絞り２４は、他の例と同様に例えば雨水の３０〜７０％を通過させ、既設の汚水枡２に合わせて水量を調節する。流量絞り２４は、掛止アーム４２によって縦樋１０の開口から吊設される。
【００４２】
図６は図５の変形例であり、過剰水排出口１１の蓋１６が蝶番２５で水平に回動する態様である。蝶番２５を有する蓋保持部２７が縦樋１０に嵌設され、バンド２８で締めて固定冶具２９で固定される。それ以外は図５の例と同じであるので重複する説明を省略する。
【００４３】
図７の例は、図６と同様に、縦樋１０の地面より上の一部を切欠いて形成した過剰水排出口１１を蓋１６が蝶番２５により水平に回動する態様である。但し、図６とは異なり、蓋１６を縦樋１０に対して蝶番２５にて直接取り付けてある。
【００４４】
図８の例は図３の変形例である。よって、図３の例と同じ部分には図３と同じ符号を付して重複する説明を省略する。図３の例との違いは、縦樋１０を上下に二分割することに代えて、縦樋１０の一部を切欠いて開口部４０を形成した点である。この開口部４０は、連結ボックス１７内で過剰水排出口２０と連通する。連結ボックス１７は上下方向に延びる筒体であり、既設の縦樋１０に設置する場合には縦半分の分割式とし、縦樋１０を挟むように組み立てて、縦樋１０に対して液密に固定する構成とすると好適である。
【００４５】
他の実施の形態として、流量絞り２４による雨水通過率が縦樋１０の外部から調整可能とされる態様を採用することもできる。雨水通過率の調整は、段階的に行うことができるものでもよいが、図９の例のように無段階又は連続的に行える態様とすると好適である。
【００４６】
図９に示すように、掛止アーム４２を有する流量絞り２４を少なくとも二つ準備する。両者は同一の構成であり、円盤状の流量絞り面４３に雨水通過孔４４を有する。この雨水通過孔４４は円形の孔であり、上から見て円形の流量絞り面４３の中心Ｏに対して偏心させて配設されている。
【００４７】
二つの流量絞り２４，２４の流量絞り面４３，４３を図９に矢印Ａで示すように重ね合わせて、掛止アーム４２，４２にて、例えば図４〜図７に示す過剰水排出口１１から吊設する。この重合吊設状態において、図９に矢印Ｂで示すように、一方の流量絞り２４を流量絞り面４３の中心軸線Ｘの回りで回動させて、他方の流量絞り２４に対する重合角度位置を変更すると、二つの流量絞り２４，２４の偏心した雨水通過孔４４，４４の重なり具合が連続的に変化する。これにより、二つの流量絞り２４，２４によって画定される雨水通過孔４４の開口面積が連続的に変化し、雨水通過率が無段階に調整される。図９の例によれば、雨水通過率の調整を簡易な構成で達成できて好適である。
【００４８】
なお、流量絞り２４の回動操作は、掛止アーム４２の内、縦樋１０の外側に露出している部分を利用して行うことができる。
【符号の説明】
【００４９】
１    住宅
２    汚水桝
４    雨水導入管 ・・・｛地上管７(軒樋９＋縦樋１０)＋埋設管８｝
６    汚水源（トイレ等）
１１，２０  過剰水排出口
１６，２１  蓋
１７  連結ボックス
２４  流量絞り
２５  蝶番
２７  蓋保持部
２８  バンド
２９  固定冶具
４３  流量絞り面
４４  雨水通過孔
【図１】
2016130398.tif 000003
【図２】
2016130398.tif 000004
【図３】
2016130398.tif 000005
【図４】
2016130398.tif 000006
【図５】
2016130398.tif 000007
【図６】
2016130398.tif 000008
【図７】
2016130398.tif 000009
【図８】
2016130398.tif 000010
【図９】
2016130398.tif 000011
【図１０】
2016130398.tif 000012